(57)【要約】【課題】広い範囲で充分な薬剤効果が得られる送風式薬剤放散装置とする。【解決手段】送風機４を駆動することで吸込口１ａから空気を吸い込んで吐出口１ｂから吐出する装置本体１と、長尺中空形状で、その中空部３ｃを流通する空気が長手方向ほぼ全長から大気に放出する薬剤保持体２と、この薬剤保持体２の中空部２ｃに設けた揮散性の薬剤３を備え、前記送風機４を駆動することで薬剤３を含有した空気が薬剤保持体２の長手方向ほぼ全長から大気に放出されるようにすることで、広い範囲で充分な薬剤効果が得られる送風式薬剤放散装置とする。【選択図】図１
2007330184.tif 000002
【特許請求の範囲】
【請求項１】
吸込口１ａと吐出口１ｂを有すると共に、送風機４を備えた装置本体１と、
長尺中空形状で、その中空部２ｃを流通する空気を長手方向ほぼ全長から放出する放出部を有し、前記装置本体１の吐出口１ｂから吐出された空気が中空部２ｃを流通する薬剤保持体２と、
前記薬剤保持体２の中空部２ｃに設けた揮散性の薬剤３とを備え、
前記送風機４を駆動することで、前記薬剤３を含有した空気を薬剤保持体２の長手方向ほぼ全長から大気に放出するようにした送風式薬剤放散装置。
【請求項２】
薬剤保持体２は柔軟性を有する請求項１記載の送風式薬剤放散装置。
【請求項３】
装置本体１の吸込口１ａ部分に吸込側薬剤１６を設け、この吸込側薬剤１６を含有した空気が薬剤保持体２の中空部２ｃを流通するようにした請求項１又は２記載の送風式薬剤放散装置。
【請求項４】
薬剤保持体２の長手方向一端部に、装置本体１の吐出口１ｂから吐出した空気が流通し、その空気の一部が、この薬剤保持体２の長手方向他端部から前記長手方向一端部寄りに流入して、この薬剤保持体２の中空部２ｃに、前記流入した空気の一部が繰り返して流通するようにした請求項１又は２記載の送風式薬剤放散装置。
【発明の詳細な説明】
【技術分野】
【０００１】
本発明は、揮散性の薬剤を空気とともに大気に放散する送風式薬剤放散装置に関する。
【背景技術】
【０００２】
送風式薬剤放散装置としては、本体内に、揮散性の薬剤と送風機を設け、その送風機を駆動することで本体の吸込口から空気を吸い込み、その空気を薬剤と接触させることで薬剤を含む空気とし、その薬剤を含む空気を本体の放出口から大気に放出するようにすると共に、その本体を使用者の腰、手首に着用するために、本体にフック、着用バンドを取付けたものが、特許文献１，２に開示されている。
また、送風機を備えた本体の放出口にチューブを接続し、そのチューブの先端、途中に薬剤を設け、その送風機を駆動することで薬剤を含む空気をチューブから放出するものが、特許文献３に開示されている。
【０００３】
【特許文献１】特開２００１−１９７８５６号公報
【特許文献２】特開２００４−２４１６１号公報
【特許文献３】特開２００３−７９７１３号公報
【発明の開示】
【発明が解決しようとする課題】
【０００４】
前述した特許文献１，２に開示された従来の送風により揮散性薬剤を大気に放出する送風式薬剤放散装置は、薬剤を含む空気を本体の放出口から大気に放出するものであるから、本体を中心とした周囲に揮散性の薬剤を放散され、薬剤効果が期待できるのは狭い範囲で、広い範囲で充分な薬剤効果を得るに到っていない。
また、前述した特許文献３に開示された従来の送風式薬剤放散装置によれば、長いチューブを用いることで本体と離れた場所に薬剤を放散できるが、薬剤やチューブの先端部分に集中的に放散されるから、前述したように薬剤効果が期待できるのは狭い範囲で、広い範囲で充分な薬剤効果を得られるに到っていない。
【０００５】
本発明の目的は、広い範囲で充分な薬剤効果を得ることができる送風式薬剤放散装置を提供することである。
【課題を解決するための手段】
【０００６】
第１の発明は、吸込口１ａと吐出口１ｂを有すると共に、送風機４を備えた装置本体１と、
長尺中空形状で、その中空部２ｃを流通する空気を長手方向ほぼ全長から放出する放出部を有し、前記装置本体１の吐出口１ｂから吐出された空気が中空部２ｃを流通する薬剤保持体２と、
前記薬剤保持体２の中空部２ｃに設けた揮散性の薬剤３とを備え、
前記送風機４を駆動することで、前記薬剤３を含有した空気を薬剤保持体２の長手方向ほぼ全長から大気に放出するようにした送風式薬剤放散装置である。
【０００７】
第２の発明は、第１の発明において、薬剤保持体２は柔軟性を有する送風式薬剤放散装置である。
【０００８】
第３の発明は、第１又は第２の発明において、装置本体１の吸込口１ａ部分に吸込側薬剤１６を設け、この吸込側薬剤１６を含有した空気が薬剤保持体２の中空部２ｃを流通するようにした送風式薬剤放散装置である。
【０００９】
第４の発明は、第１又は第２の発明において、薬剤保持体２の長手方向一端部に、装置本体１の吐出口１ｂから吐出した空気が流通し、その空気の一部が、この薬剤保持体２の長手方向他端部から前記長手方向一端部寄りに流入して、この薬剤保持体２の中空部２ｃに、前記流入した空気の一部が繰り返して流通するようにした送風式薬剤放散装置。
【発明の効果】
【００１０】
第１の発明によれば、送風機４を駆動することで長尺な薬剤保持体２の長手方向ほぼ全長から、薬剤３を含有した空気が大気に放出されるので、広い範囲で充分な薬剤効果が得られる。
【００１１】
第２の発明によれば、薬剤保持体２を任意の形状に曲げて使用できるので、その薬剤保持体２を吊り下げ具としたり、バンドとすることが可能である。
したがって、薬剤保持体２を利用して縦面に吊り下げて使用したり、使用者の手、腰、動物の首、胴体などに巻きつけて使用できる。
しかも、薬剤保持体２を使用場所の形状、形態に応じて曲げて使用できる。
【００１２】
第３の発明によれば、吸込側薬剤１６及び薬剤保持体２の中空部２ｃに設けた薬剤３を含有した空気を大気に放出できるので、異なる種類の薬剤を大気に放散することが可能である。
【００１３】
第４の発明によれば、薬剤保持体２の中空部２ｃに装置本体１の吐出口１ｂから吐出された空気の一部が繰り返して流通するので、その中空部２ｃに設けた薬剤３を多量に含有した空気として大気に放出されるから、その薬剤３を多量に大気に放散できる。
【発明を実施するための最良の形態】
【００１４】
図１に示すように、装置本体１と、薬剤保持体２と、この薬剤保持体２内に設けた揮散性の薬剤３で送風式薬剤放散装置としてある。
前記装置本体１は、吸込口１ａと吐出口１ｂを有すると共に、送風機４が設けてあり、この送風機４を駆動することで吸込口１ａから空気を吸い込んで、吐出口１ｂから吐出する。
前記薬剤保持体２は中空の紐状体、パイプなどの長尺中空形状で、その中空部を流通する空気を、その長手方向ほぼ全長から大気に放出する放出部、例えば放出口２ａを長手方向に間隔を置いて複数有する。この薬剤保持体２は柔軟性を有することが好ましい。
この薬剤保持体２の中空部に薬剤３が設けてある。
前記薬剤保持体２は、その長手方向一端部が前記装置本体１の吐出口１ｂに連通している。例えば、長手方向一端部を吐出口１ｂに嵌合して連結することで薬剤保持体２を装置本体１に取付けている。
【００１５】
このようであるから、送風機４を駆動することで吸込口１ａから空気を吸い込み、その空気は吐出口１ｂから薬剤保持体２の中空部に吐出される。この空気は薬剤３と触れながら中空部を流通し、その空気に薬剤３が含有される。
そして、薬剤３を含有した空気は放出口２ａから大気に放出されている。
したがって、薬剤保持体２の長手方向ほぼ全長の周囲に薬剤３を含む空気が放散されるので、広い範囲で充分な薬剤効果が得られる。
【００１６】
例えば、図１に示すように装置本体１に２つの吐出口１ｂを形成し、各吐出口１ｂに薬剤保持体２をそれぞれ連通して設けることで、所定の幅と長さを有する長方形状の広い範囲Ａで充分な薬剤効果が得られる。
また、図２に示すように薬剤保持体２の両端部を吐出口１ｂにそれぞれ連通して設けることで、その薬剤保持体２をリング形状とすれば、リング形状の広い範囲Ａで充分な薬剤効果が得られる。
【００１７】
なお、図示は省略するが、装置本体１に吐出口１ｂを４つ形成し、各吐出口１ｂに４つの薬剤保持体２の一端部をそれぞれ連通して設け、４つの薬剤保持体２を装置本体１を中心とした十文字としても良い。
また、装置本体１の吐出口１ｂの数は３コ、５コ以上でも良い。
【００１８】
前述の薬剤保持体２が柔軟性を有するものであれば、その薬剤保持体２を自由に曲げることができるので、その薬剤保持体２を吊り下げ具としたり、バンドとすることが可能である。
したがって、薬剤保持体２を利用して送風式薬剤放散装置を建物の壁などの縦面に吊り下げて使用したり、使用者の手、腰などの身体、動物の体などに巻きつけて使用することができる。
しかも、薬剤保持体２を使用場所、形態に応じて曲げて使用できる。例えば窓開口に沿って曲げて配設したり、円形、矩形などの任意の形状の範囲に沿って配設したりすることができる。
【００１９】
次に、各部材の具体形状を説明する。
図３に示すように、装置本体１は周面板１０と底面板１１と上面板１２で凹部１３と中空部１４を有し、底面板１１の下面に電池収納室１５を有している。
前記上面板１２に吸込口１ａ、周面板１０に吐出口１ｂが中空部１４に開口して形成され、その中空部１４に送風機４が設けてある。
前記送風機４はモータ４ａでファン４ｂを回転するもので、そのモータ４ａが電池収納室１５に設けた電池（図示せず）で駆動される。
前記凹部１３に吸込側薬剤１６が設けてある。
この吸込側薬剤１６は、通気部を有する容器１６ａに薬剤含浸プレート１６ｂを設け、通気部を有したプレート１６ｃで抜け出ないように支持している。
そして、容器１６ａが凹部１３に嵌合して取付けられ、キャップ１７を設けて吸込側薬剤１６が凹部１３から外れないように保持している。
前記キャップ１７は着脱自在で、通気部１７ａを有している。
【００２０】
前記薬剤保持体２の長手方向一端部に連結部２ｂ、例えば筒状部が設けてあり、装置本体１の周面板１０における吐出口１ｂの周縁部に被連結部１８、例えば筒状突部が設けてある。
この被連結部１８と連結部２ｂは着脱自在に嵌合するもので、薬剤保持体２の長手方向一端部は装置本体１の吐出部１ｂに着脱自在に連結される。
前記薬剤保持体２の中空部２ｃに粒状の薬剤３が充填して設けてあると共に、その中空部２ｃの開口端寄りにネット２ｄを設けて粒状の薬剤３が中空部２ｃからこぼれ落ちないようにしてある。
【００２１】
このようであるから、送風機４を駆動することで吸込側薬剤１６を通して空気が吸込口１ａに吸い込まれ、吸込側薬剤１６を含有した空気として吐出口１ｂから薬剤保持体２の中空部２ｃに吐出される。
そして、薬剤３に触れながら流通して薬剤３と吸込側薬剤１６を含有した空気となり、放出口２ａから大気に放出される。
【００２２】
したがって、吸込側薬剤１６と薬剤保持体２の中空部２ｃに設けた薬剤３の種類を異ならせることで、２種類の薬剤を大気に放散できる。
また、キャップ１７を取り外すことで吸込側薬剤１６を交換したり、補充したりできる。
また、薬剤保持体２を装置本体１に簡単に取付け、取り外しできる。
【００２３】
次に、本発明の吊下型の実施の形態を図４〜図６に基づいて説明する。
この実施の形態は薬剤保持体２を吊り下げ具として利用する吊下型送風式薬剤放散装置を示すもので、他の構成は前述のものと同様である。
装置本体１の周面板１０における左右両側の吐出口１ｂ部分に張り出し部１０ａをそれぞれ設け、この各張り出し部１０ａに薬剤保持体２の長手方向両端部を連通して接続する。
これによって、薬剤保持体２は図４に示すように上向半円形状に湾曲し、その上部寄り部分２ｅを使用者の首に掛けることができるようにしてある。
【００２４】
また、前記キャップ１７はヒンジ１７ｂで装置本体１に開閉自在に取付けてある。
このキャップ１７は電池収納室１５と対向した部分１７ｃを有し、ヒンジ１７ｂを支点として開閉することで、電池収納室１５を開閉することができるから、電池１５ａを簡単に交換できる。
つまり、この実施の形態では、装置本体１の上部寄りに電池収納室１５を形成し、この電池収納室１５のキャップと凹部１３のキャップを一体としてある。
【００２５】
次に、本発明の着用型の実施の形態を図７に基づいて説明する。
この実施の形態は薬剤保持体２を着用バンドとして利用する着用型送風式薬剤放散装置を示すものである。
図７に示すように、薬剤保持体２は第１・第２薬剤保持体２−１，２−２を備え、その第１薬剤保持体２−１の長手方向一端部が装置本体１の吐出口１ｂに連通して着脱自在に取付けられ、長手方向他端部は一側連結部２０を有している。前記第２薬剤保持体２−２の長手方向一端部が装置本体１の吐出口１ｂに連通して着脱自在に取付けられ、長手方向他端部は他側連結部２１を有している。
この実施の形態では、一側連結部２０はバックルで、他側連結部２１はバックルの爪２０ａが嵌まり合う複数の穴２１ａとしてある。これに限ることはなく、磁石などでも良い。
【００２６】
このようであるから、第１・第２薬剤保持体２−１，２−２の長さが短いものであれば人に手首や動物の首などに巻きつけて着用することができるし、第１・第２薬剤保持体２−１，２−２の長さが長いものであれば人の腰や動物の胴体などに巻きつけて着用することができる。
そして、前述のように着用した状態で送風機４を駆動することで、吸込側薬剤１６、薬剤３を含む空気を、前述の人の手首、動物の首、人の腰、動物の胴体などの周囲に放散することができる。
【００２７】
図７に示すように、装置本体１の周面板１０における吐出口１ｂの周縁に筒体３０を一体的に設け、この筒体３０に第１・第２薬剤保持体２−１，２−２の長手方向一端部を嵌め込むことで着脱自在に連結する。
この場合、第１・第２薬剤保持体２−１，２−２が外れ難くするために、筒体３０の内周面と、第１・第２薬剤保持体２−１，２−２の長手方向一端面にリング形状の磁石３１，３２を対向して固着し、その磁石３１と磁石３２を吸着することで外れ難く支持する。
【００２８】
以上の各実施の形態では、薬剤保持体２の中空部２ｃに粒状の薬剤３を充填して設けたが、薬剤３を薬剤保持体２の中空部２ｃに設けるには、前述のことに限ることはない。
例えば、図８（ａ）に示すように薬剤保持体２の中空部２ｃの内周面に薬剤３を塗布などで設け、空気が薬剤３に触れながら流通するようにする。
この場合には薬剤保持体２の中空部２ｃの内周面の全周に亘って連続して薬剤３を設けることで、図８（ａ）に示すように薬剤３を断面リング形状とすることが好ましいが、薬剤３の断面形状はコ字状、Ｌ字状などでも良い。
また、断面リング形状、コ字形状，Ｌ字形状などの薬剤３を予め成型し、その成型した薬剤３を薬剤保持体２の中空部２ｃ内に長手方向から挿入して設けるようにしても良い。
【００２９】
また、図８（ｂ）に示すように薬剤保持体２の中空部２ｃの下半分に薬剤３を設け、上半分に空気を流通するようにしても良い。
【００３０】
また、薬剤保持体２の中空部２ａに薬剤３を前述のように設ける場合には、薬剤保持体２を長尺の本体と長尺なカバーを径方向に着脱自在に連結して中空部２ｃを有するものとし、そのカバーを外すことで薬剤３を本体に設けるようにしても良い。
例えば、図９に示すように薬剤保持体２を、切欠部２２を有する本体２３と、その切欠部２２に嵌め合わせて取付けることで中空部２ｃを形成するカバー２４を備え、この本体２３の切欠部２２にカバー２４を着脱自在に取付けて薬剤保持体２とする。
薬剤３を断面中空形状に成形したものとし、その薬剤３を本体２３に切欠部２２から設け、カバー２４を取付ける。
【００３１】
このようにすれば、カバー２４を外すことで薬剤３を交換したり、補充したりできる。
【００３２】
また、図１０に示すように薬剤保持体２に開口部２ｆを長手方向に間隔を置いて複数形成し、この各開口部２ｆから薬剤３を中空部２ｃ内に挿入するようにしても良い。
例えば、薬剤３を網体に薬剤を保持させた薬剤部３ａと把手部３ｂを有するものとし、その把手部３ｂを持って薬剤部３ａを開口部２ｆから中空部２ｃ内に挿入して設ける。
前記薬剤部３ａとしては図１０の右側に図示するようにハニカム体に薬剤を含浸して保持したものでも良い。
【００３３】
このようにすれば、薬剤３を簡単に交換したり、補充したりできる。
【００３４】
前述の図１０に示すようにして薬剤３を中空部２ｃ内に設けた場合には、薬剤保持体２の中空部２ｃの長手方向に連続して薬剤３を設けることは困難で、薬剤３は長手方向に間隔を置いて複数設けることになるが、このようにしても薬剤保持体２のほぼ長手方向全長から薬剤を含む空気を大気に放散することは可能である。
【００３５】
以上の各実施の形態では装置本体１に吸込側薬剤１６を設けたが、その吸込側薬剤１６を設けなくとも良い。
例えば、図１１に示すように装置本体１に送風機４と電池１５ａを設ける。
このようにすれば、装置本体１をコンパクトにできる。
また、吸込口１ａからスムーズに空気が吸い込まれるので、薬剤保持体２の中空部２ｃに空気がスムーズに流れるから、その薬剤保持体２の中空部２ｃに設けた薬剤３を含有した空気を、大気にスムーズに多量に放散することが可能である。
【００３６】
前述のように吸込側薬剤１６を設けない場合には、薬剤保持体２の中空部２ｃに空気が多量に流通するので、その薬剤保持体２の中空部２ｃに空気が繰り返して流通し、薬剤３と触れる空気の量を多くして空気中の薬剤の含有率を高くするようにできる。
例えば、図１２に示すように薬剤保持体２の長手方向一端部を装置本体１の吐出口１ｂに連通して接続し、この薬剤保持体２の長手方向他端部に補助パイプ２５を連通して接続する。
この補助パイプ２５は薬剤保持体２の長手方向一端部寄りに接続して吐出口１ｂから吐出した空気の一部が薬剤保持体２の中空部２ｃを繰り返して流通するようにする。
なお、前述の補助パイプ２５を用いずに薬剤保持体２の長手方向他端部を、長手方向一端部寄りに接続して中空部２ｃ内に空気が繰り返して流通するようにしても良い。
【００３７】
また、前述の各実施の形態では薬剤保持体２を柔軟性を有するものとしたが、所定の形状としても良い。
【図面の簡単な説明】
【００３８】
【図１】薬剤保持体を２つ備えた実施の形態を示す全体概略斜視図である。
【図２】薬剤保持体をリング形状とした実施の形態を示す全体概略斜視図である。
【図３】装置本体と薬剤保持体の詳細断面図である。
【図４】吊下型送風式薬剤放散装置の正面図である。
【図５】図４のＢ−Ｂ断面図である。
【図６】図４のＣ−Ｃ断面図である。
【図７】着用型送付式薬剤放散装置の斜視図である。
【図８】薬剤保持体の中空部に薬剤を設ける他の実施の形態を示す断面図である。
【図９】薬剤保持体の中空部に薬剤を設ける他の実施の形態を示す分解斜視図である。
【図１０】薬剤保持体の中空部に薬剤を設ける他の実施の形態を示す薬剤を取り外した斜視図である。
【図１１】本発明の第２の実施の形態を示す断面図である。
【図１２】本発明の第３の実施の形態を示す平面図である。
【符号の説明】
【００３９】
１…装置本体、１ａ…吸込口、１ｂ…吐出口、２…薬剤保持体、２ｃ…中空部、３…薬剤、４…送風機、１６…吸込側薬剤。
【図１】
2007330184.tif 000003
【図２】
2007330184.tif 000004
【図３】
2007330184.tif 000005
【図４】
2007330184.tif 000006
【図５】
2007330184.tif 000007
【図６】
2007330184.tif 000008
【図７】
2007330184.tif 000009
【図８】
2007330184.tif 000010
【図９】
2007330184.tif 000011
【図１０】
2007330184.tif 000012
【図１１】
2007330184.tif 000013
【図１２】
2007330184.tif 000014